(57)【要約】【課題】ブーツをアウターレースに固定するための工程数を低減可能なブーツ及びこのブーツを備える等速自在継手を提供する。【解決手段】環状かつ弾性体製のブーツ本体１１０と、一端側がブーツ本体１１０に固定され、かつ他端側がアウターレース３１０に嵌合固定される筒状の胴体部１２２を有する環状かつ金属製のアダプター１２０と、を備えると共に、胴体部１２２には、アウターレース３１０に対するアダプター１２０の嵌合方向とは反対側かつ径方向内側に向かって伸び、アウターレース３１０の外周面に形成された凹部３１１に係止される可撓性を有する係止突起１２２ａが設けられていることを特徴とする。【選択図】図１
2018084294.tif 000002
【特許請求の範囲】
【請求項１】
２つの軸部材間で回転を等速で伝える等速自在継手に備えられ、継手機構への異物の侵入を抑制し、かつ継手機構から外部にグリースが流出することを抑制するブーツにおいて、
一端側が前記２つの軸部材のうちの一方の軸部材に固定され、該一方の軸部材が前記２つの軸部材のうちの他方の軸部材に対して相対的に揺動した場合に追随変形可能な環状かつ弾性体製のブーツ本体と、
一端側が前記ブーツ本体の他端側に固定され、かつ他端側が前記他方の軸部材側に備えられるアウターレースに嵌合固定される筒状の胴体部を有する環状かつ金属製のアダプターと、
を備えると共に、
前記胴体部には、前記アウターレースに対する前記アダプターの嵌合方向とは反対側かつ径方向内側に向かって伸び、前記アウターレースの外周面に形成された凹部に係止される可撓性を有する係止突起が設けられていることを特徴とするブーツ。
【請求項２】
前記胴体部には、前記係止突起を取り囲むスリットが形成されており、該スリットの内側の部分が径方向内側に折り曲げられた状態となることで前記係止突起が設けられていることを特徴とする請求項１に記載のブーツ。
【請求項３】
２つの軸部材と、
前記２つの軸部材間で回転を等速で伝える継手機構と、
前記継手機構への異物の侵入を抑制し、かつ継手機構から外部にグリースが流出することを抑制するブーツと、
を備える等速自在継手において、
前記ブーツは、
一端側が前記２つの軸部材のうちの一方の軸部材に固定され、該一方の軸部材が前記２つの軸部材のうちの他方の軸部材に対して相対的に揺動した場合に追随変形可能な環状かつ弾性体製のブーツ本体と、
一端側が前記ブーツ本体の他端側に固定され、かつ他端側が前記他方の軸部材側に備えられるアウターレースに嵌合固定される筒状の胴体部を有する環状かつ金属製のアダプターと、
を備えると共に、
前記胴体部には、前記アウターレースに対する前記アダプターの嵌合方向とは反対側かつ径方向内側に向かって伸び、前記アウターレースの外周面に形成された凹部に係止される可撓性を有する係止突起が設けられていることを特徴とする等速自在継手。
【請求項４】
前記胴体部には、前記係止突起を取り囲むスリットが形成されており、該スリットの内側の部分が径方向内側に折り曲げられた状態となることで前記係止突起が設けられていることを特徴とする請求項３に記載の等速自在継手。
【発明の詳細な説明】
【技術分野】
【０００１】
本発明は、等速自在継手に備えられるブーツ及びこのブーツを備える等速自在継手に関する。
【背景技術】
【０００２】
等速自在継手には、継手機構への異物の侵入を抑制し、かつ継手機構から外部にグリースが流出することを抑制するブーツが備えられている。図４及び図５を参照し、従来例に係るブーツ及び等速自在継手について説明する。図４は従来例に係るブーツの模式的断面図である。図５は従来例に係る等速自在継手の要部を示す模式的断面図である。
【０００３】
等速自在継手７００は、２つの軸部材（以下、適宜、一方の軸部材を第１軸部材６００と称し、他方の軸部材を第２軸部材７００と称する）と、２つの軸部材間で回転を等速で伝える継手機構７２０とを備えている。第２軸部材７００は、アウターレース７１０を備えており、このアウターレース７１０の内部に継手機構７２０が設けられている。ブーツ５００は、弾性体製のブーツ本体５１０と金属製のアダプター５２０とから構成される。ブーツ本体５１０は、一端側が第１軸部材６００に固定されている。そして、アダプター５２０は、一端側がブーツ本体５１０の他端側に固定され、他端側がアウターレース７１０に嵌合固定されている。
【０００４】
アダプター５２０は、小径の円筒部５２１と、円筒部５２１よりも径が大きく構成され、かつアウターレース７１０に嵌合固定される円筒状の胴体部５２２とを備えている。また、アダプター５２０においては、円筒部５２１よりも一端側がブーツ本体５１０に加締め固定される第１加締め固定部５２３と、胴体部５２２よりも他端側がアウターレース７１０の外周面に形成された環状凹部７１１に加締め固定される第２加締め固定部５２４とを備えている。
【０００５】
以上のように構成されるブーツ５００においては、アダプター５２０がアウターレース７１０に対して、図５中左側から右側に圧入により嵌合された後に、第２加締め固定部５２４が加締められることにより、アウターレース７１０に固定される。従って、ブーツ５００をアウターレース７１０に固定するためには、圧入嵌合工程と、加締め固定工程の２工程を必要としている。
【先行技術文献】
【特許文献】
【０００６】
【特許文献１】特許第３３８８９２３号公報
【発明の概要】
【発明が解決しようとする課題】
【０００７】
本発明の目的は、ブーツをアウターレースに固定するための工程数を低減可能なブーツ及びこのブーツを備える等速自在継手を提供することにある。
【課題を解決するための手段】
【０００８】
本発明は、上記課題を解決するために以下の手段を採用した。
【０００９】
すなわち、本発明のブーツは、
２つの軸部材間で回転を等速で伝える等速自在継手に備えられ、継手機構への異物の侵入を抑制し、かつ継手機構から外部にグリースが流出することを抑制するブーツにおいて
、
一端側が前記２つの軸部材のうちの一方の軸部材に固定され、該一方の軸部材が前記２つの軸部材のうちの他方の軸部材に対して相対的に揺動した場合に追随変形可能な環状かつ弾性体製のブーツ本体と、
一端側が前記ブーツ本体の他端側に固定され、かつ他端側が前記他方の軸部材側に備えられるアウターレースに嵌合固定される筒状の胴体部を有する環状かつ金属製のアダプターと、
を備えると共に、
前記胴体部には、前記アウターレースに対する前記アダプターの嵌合方向とは反対側かつ径方向内側に向かって伸び、前記アウターレースの外周面に形成された凹部に係止される可撓性を有する係止突起が設けられていることを特徴とする。
【００１０】
また、本発明の等速自在継手は、
２つの軸部材と、
前記２つの軸部材間で回転を等速で伝える継手機構と、
前記継手機構への異物の侵入を抑制し、かつ継手機構から外部にグリースが流出することを抑制するブーツと、
を備える等速自在継手において、
前記ブーツは、
一端側が前記２つの軸部材のうちの一方の軸部材に固定され、該一方の軸部材が前記２つの軸部材のうちの他方の軸部材に対して相対的に揺動した場合に追随変形可能な環状かつ弾性体製のブーツ本体と、
一端側が前記ブーツ本体の他端側に固定され、かつ他端側が前記他方の軸部材側に備えられるアウターレースに嵌合固定される筒状の胴体部を有する環状かつ金属製のアダプターと、
を備えると共に、
前記胴体部には、前記アウターレースに対する前記アダプターの嵌合方向とは反対側かつ径方向内側に向かって伸び、前記アウターレースの外周面に形成された凹部に係止される可撓性を有する係止突起が設けられていることを特徴とする。
【００１１】
これらの発明によれば、係止突起は、アウターレースに対するアダプターの嵌合方向とは反対側かつ径方向内側に向かって伸び、かつ可撓性を有している。従って、アダプターをアウターレースに嵌合する際に、係止突起は、その先端側が外側に撓むため、嵌合時に悪影響を与えることはない。そして、係止突起がアウターレースの外周面に形成された凹部に係止されるため、ブーツ（アダプター）がアウターレースに対する嵌合方向とは反対方向に抜け落ちてしまうことを抑制することができる。従って、加締め固定を行うことなく、嵌合のみでブーツ（アダプター）をアウターレースに固定させることが可能となる。
【００１２】
前記胴体部には、前記係止突起を取り囲むスリットが形成されており、該スリットの内側の部分が径方向内側に折り曲げられた状態となることで前記係止突起が設けられているとよい。
【００１３】
これにより、係止突起を簡単な加工で設けることができる。
【００１４】
なお、上記各構成は、可能な限り組み合わせて採用し得る。
【発明の効果】
【００１５】
以上説明したように、本発明によれば、ブーツをアウターレースに固定するための工程数を低減させることができる。
【図面の簡単な説明】
【００１６】
【図１】図１は本発明の実施例に係る等速自在継手の要部を示す模式的断面図である。
【図２】図２は本発明の実施例に係るアダプターの模式的断面図である。
【図３】図３は本発明の実施例に係るアダプターがアウターレースに取付けられている状態を示す模式的断面図である。
【図４】図４は従来例に係るブーツの模式的断面図である。
【図５】図５は従来例に係る等速自在継手の要部を示す模式的断面図である。
【発明を実施するための形態】
【００１７】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。本発明の実施例に係るブーツ及び等速自在継手は、車両に備えられるプロペラシャフトなどに好適に用いることができる。
【００１８】
（実施例）
図１〜図３を参照して、本発明の実施例に係るブーツ及び等速自在継手について説明する。図１は本発明の実施例に係る等速自在継手の要部を示す模式的断面図である。図２は本発明の実施例に係るアダプターの模式的断面図である。図３は本発明の実施例に係るアダプターがアウターレースに取付けられている状態を示す模式的断面図である。なお、本実施例に係るアダプターは、係止突起が設けられている部位を除き、回転対称形状である。図１〜図３においては、アダプターの中心軸線を含む面で切断した断面図を示している。
【００１９】
＜等速自在継手＞
特に、図１を参照して、本実施例に係る等速自在継手について説明する。等速自在継手１０は、２つの軸部材と、２つの軸部材間で回転を等速で伝える継手機構３２０とを備えている。以下、適宜、２つの軸部材のうちの一方の軸部材を第１軸部材２００と称し、他方の軸部材を第２軸部材３００と称する。第２軸部材３００は、アウターレース３１０を備えており、このアウターレース３１０の内部に継手機構３２０が設けられている。図１において、継手機構３２０は簡略的に示している。なお、継手機構３２０については、球面ローラ及び針状ころを備える機構やインナーレース及びインナーレースとアウターレース３１０との間に複数の鋼球を備える機構など、各種公知技術を適用することができる。また、第１軸部材２００と第２軸部材３００は、一定の範囲内で、相対的に往復運動及び揺動運動が可能に構成されている。
【００２０】
そして、等速自在継手１０には、継手機構３２０への異物（水やダスト）の侵入を抑制し、かつ継手機構３２０から外部にグリースＧが流出することを抑制するブーツ１００が備えられている。
【００２１】
＜ブーツ＞
本実施例に係るブーツ１００について、より詳細に説明する。ブーツ１００は、ゴムなどの弾性体製のブーツ本体１１０と金属製のアダプター１２０とから構成される。ブーツ本体１１０は、一端側が第１軸部材２００に固定される。そして、ブーツ本体１１０は、第１軸部材２００が第２軸部材３００に対して相対的に揺動した場合に追随変形可能な環状の部材により構成されている。また、ブーツ本体１１０は、一端側に設けられ、かつ第１軸部材２００に対して固定される第１固定部１１１と、追随変形し易くするために設けられた湾曲部１１２と、他端側に設けられ、かつアダプター１２０に固定される第２固定部１１３とを備えている。
【００２２】
アダプター１２０は、一端側がブーツ本体１１０の他端側の第２固定部１１３に固定され、かつ他端側がアウターレース３１０に嵌合固定される筒状の胴体部を有する環状の部材により構成されている。より具体的には、アダプター１２０は段付きの円筒部を有している。そして、この円筒部は、小径の円筒部１２１と、円筒部１２１よりも径が大きく構成され、かつアウターレース３１０に嵌合固定される円筒状の胴体部１２２とを有している。また、アダプター１２０は、円筒部１２１よりも一端側がブーツ本体１１０の第２固定部１１３に加締め固定される加締め固定部１２３を備えている。
【００２３】
そして、アダプター１２０の胴体部１２２には、アウターレース３１０に対するアダプター１２０の嵌合方向（図１〜３において右方向）とは反対側かつ径方向内側に向かって伸び、かつ可撓性を有する係止突起１２２ａが設けられている。また、アウターレース３１０の外周面には凹部（環状凹部）３１１が設けられている。アダプター１２０の胴体部１２２に設けられた係止突起１２２ａは、アウターレース３１０の外周面に形成された凹部３１１に係止されるように構成されている。また、アダプター１２０の胴体部１２２には、係止突起１２２ａを取り囲むスリット１２２ｂが形成されており、このスリット１２２ｂの内側の部分が径方向内側に折り曲げられた状態となることで係止突起１２２ａが設けられている。すなわち、胴体部１２２に対して略Ｃ字形状のスリット１２２ｂを打ち抜き加工等により形成させた後に、このスリット１２２ｂの内側を径方向内側に折り曲げることによって係止突起１２２ａが形成される。なお、本実施例においては、係止突起１２２ａは周方向に間隔を空けて複数設けられている。
【００２４】
以上のように構成されるアダプター１２０は、アウターレース３１０に対して、図３中左側から右側に嵌合することにより固定される。嵌合過程においては、係止突起１２２ａは外側に撓んだ状態となっている。そして、アダプター１２０における小径の円筒部１２１と大径の胴体部１２２との段差面がアウターレース３１０の先端に突き当たった際、またはその直前に、係止突起１２２ａの先端がアウターレース３１０に設けられた凹部３１１に位置することで、係止突起１２２ａは元の形状に戻る（図３参照）。これにより、係止突起１２２ａは凹部３１１に係止され、アダプター１２０が上記の嵌合方向とは反対方向に移動することが抑制される。
【００２５】
＜本実施例に係るブーツ及び等速自在継手の優れた点＞
本実施例に係るブーツ１００及び等速自在継手１０によれば、ブーツ１００を構成するアダプター１２０に設けられた係止突起１２２ａは、アウターレース３１０に対するアダプター１２０の嵌合方向とは反対側かつ径方向内側に向かって伸び、かつ可撓性を有している。従って、アダプター１２０をアウターレース３１０に嵌合する際に、係止突起１２２ａは、その先端側が外側に撓むため、嵌合時に悪影響を与えることはない。そして、係止突起１２２ａがアウターレース３１０の外周面に形成された凹部３１１に係止されるため、ブーツ１００（アダプター１２０）がアウターレース３１０に対する嵌合方向とは反対方向に抜け落ちてしまうことを抑制することができる。従って、加締め固定を行うことなく、嵌合のみでブーツ１００（アダプター１２０）をアウターレース３１０に固定させることが可能となる。
【００２６】
また、本実施例においては、アダプター１２０における胴体部１２２には、係止突起１２２ａを取り囲むスリット１２２ｂが形成されており、スリット１２２ｂの内側の部分が径方向内側に折り曲げられた状態となることで係止突起１２２ａが設けられている。従って、係止突起１２２ａを簡単な加工で設けることができる。
【符号の説明】
【００２７】
１０  等速自在継手
１００  ブーツ
１１０  ブーツ本体
１１１  第１固定部
１１２  湾曲部
１１３  第２固定部
１２０  アダプター
１２１  円筒部
１２２  胴体部
１２２ａ  係止突起
１２２ｂ  スリット
１２３  固定部
２００  第１軸部材
３００  第２軸部材
３１０  アウターレース
３１１  凹部
３２０  継手機構
Ｇ  グリース
【図１】
2018084294.tif 000003
【図２】
2018084294.tif 000004
【図３】
2018084294.tif 000005
【図４】
2018084294.tif 000006
【図５】
2018084294.tif 000007